(57)【要約】【課題】天井から垂下されたコードによって器具本体の略中心が吊り下げ支持される照明器具において重量バランスをとるためのバランサを不要化し、又はバランサを可及的に小さくする。【解決手段】平面視が正方形に形成された器具本体３に、第１の円環形蛍光ランプ８と、第２の円環形蛍光ランプ９が支持される。第１の円環形蛍光ランプ８の口金８ｃが器具本体３の対角位置に配置され、第２の円環形蛍光ランプ９の口金９ｃが第１の円環形蛍光ランプ８の口金８ｃと約４５°ずらせた位置に配置される。点灯回路の放熱部材２１は、器具本体３の中心Ｃを挟んで各口金８ｃ、９ｃ（ソケット１２ａ、１２ｂ）の反対側に配置され、器具の重量バランスを補償する質量を有するアルミニュウム板である。アルミニュウム板２１の重心２１ｇは、第１及び第２の円環形蛍光ランプ８、９の口金８ｃ、９ｃを結ぶ線Ｌ１上の点Ｐと、器具本体３の中心Ｃとを結ぶ線Ｌ２上に配置される。【選択図】図２
2007287469.tif 000002
【特許請求の範囲】
【請求項１】
天井から垂下されたコードによって略中心が吊り下げ支持される器具本体と、
器具本体に支持される円環形蛍光ランプと、
器具本体に設けられ、前記円環形蛍光ランプを点灯駆動する点灯回路と、
前記点灯回路から発生する熱を放散させる放熱部材と、
前記円環形蛍光ランプの口金が装着されるソケットと、を備える吊り下げ型照明器具において、
前記放熱部材が、器具本体の中心を挟んで前記ソケットが設けられた位置の反対側に配置されると共に、器具の重量バランスを補償する質量を有することを特徴とする吊り下げ型照明器具。
【請求項２】
器具本体が平面視において正方形に形成され、
前記円環形蛍光ランプが、第１の円環形蛍光ランプと、これより直径の小さい第２の円環形蛍光ランプを備え、
前記第１の円環形蛍光ランプの口金が器具本体の対角位置に配置され、
前記第２の円環形蛍光ランプの口金が前記第１の円環形蛍光ランプの口金と約４５°ずらせた位置に配置され、
前記放熱部材は、その重心が前記第１及び第２の円環形蛍光ランプの口金を結ぶ線上の点と、器具本体の中心とを結ぶ線上に配置されることを特徴とする請求項１に記載の吊り下げ型照明器具。
【発明の詳細な説明】
【技術分野】
【０００１】
本発明は、吊り下げ型照明器具に関し、詳しくは天井から垂下されたコードによって器具本体の略中心が吊り下げ支持される照明器具に関する。
【背景技術】
【０００２】
天井から垂下されたコードによって吊り下げ支持され、円環形蛍光ランプが光源として用いられる吊り下げ型照明器具においては、円環形蛍光ランプの口金や、口金が装着されるソケットの重量が重いために器具の重量バランスが偏りやすい。この問題を解消して吊り下げ支持された照明器具が水平に維持されるようにするために、一般的に金属製の錘（以下、バランサという）がカウンタウエイトとして設けられる。
【０００３】
ところが、バランサが設けられる場合には、部品点数の増加やコスト上昇を招くという問題がある。そこで、従来からバランサを不要とするために、照明器具の点灯回路を器具本体から絶縁する合成樹脂製の絶縁部材を備える照明器具において、絶縁部材自体がソケットのカウンタウエイトになるように絶縁部材の固定位置が、電源コードによる吊り下げ位置を挟んでソケットと反対側に配置された吊り下げ型照明器具が知られている（例えば、特許文献１参照）。
【０００４】
また、バランサを設けることなく吊り下げ型照明器具の重量バランスを調整する構造を有するものとして器具本体の上側に補助光源を備える吊り下げ型照明器具（例えば、特許文献２参照）や、比較的大重量のチョークコイルが２個に分割され、分割されたチョークコイルが重量バランスがとれるようにプリント基板上に配置された放電灯点灯装置（例えば、特許文献３参照）等が知られている。
【特許文献１】特開２００４−９５３６８号公報
【特許文献２】特開平１０−１７２３１４号公報
【特許文献３】実開平５−６９８１３号公報
【発明の開示】
【発明が解決しようとする課題】
【０００５】
ところが、特許文献１に記載の吊り下げ型照明器具は、合成樹脂製の絶縁部材の配置を工夫することによって器具の重量バランスを調整し、もってバランサの不要化を図るものであるので、バランサを不要化するためには比重の軽い材質（合成樹脂）から構成される絶縁部材を必要以上に大面積にしたり、必要以上に肉厚にして絶縁部材自体の重量を重くしなければならない。
【０００６】
そこで、本発明は、天井から垂下されたコードによって器具本体の略中心が吊り下げ支持される照明器具において、無理な設計をする必要がなく容易にバランサを不要化でき、又はバランサを可及的に小さくすることができる吊り下げ型照明器具を提供することを目的とする。
【課題を解決するための手段】
【０００７】
上記目的を達成するために請求項１の発明は、天井から垂下されたコードによって略中心が吊り下げ支持される器具本体と、器具本体に支持される円環形蛍光ランプと、器具本体に設けられ、前記円環形蛍光ランプを点灯駆動する点灯回路と、前記点灯回路から発生する熱を放散させる放熱部材と、前記円環形蛍光ランプの口金が装着されるソケットと、を備える吊り下げ型照明器具において、前記放熱部材が、器具本体の中心を挟んで前記ソケットが設けられた位置の反対側に配置されると共に、器具の重量バランスを補償する質量を有することを特徴とする。
【０００８】
請求項２の発明は、請求項１の発明において、器具本体が平面視において正方形に形成され、前記円環形蛍光ランプが、第１の円環形蛍光ランプと、これより直径の小さい第２の円環形蛍光ランプを備え、前記第１の円環形蛍光ランプの口金が器具本体の対角位置に配置され、前記第２の円環形蛍光ランプの口金が前記第１の円環形蛍光ランプの口金と約４５°ずらせた位置に配置され、前記放熱部材は、その重心が前記第１及び第２の円環形蛍光ランプの口金を結ぶ線上の点と、器具本体の中心とを結ぶ線上に配置されることを特徴とする。
【発明の効果】
【０００９】
請求項１の発明によれば、天井から垂下されたコードによって器具本体の略中心が吊り下げ支持される照明器具において、点灯回路から発生する熱を放散させる放熱部材が、器具本体の中心を挟んでソケットが設けられた位置の反対側に配置されると共に、器具の重量バランスを補償する質量を有するので、無理な設計をする必要がなく容易にバランサを不要化でき、又はバランサを可及的に小さくすることができる。
【００１０】
請求項２の発明によれば、放熱部材は、さらに、その重心が第１及び第２の円環形蛍光ランプの口金を結ぶ線上の点と、器具本体の中心とを結ぶ線上に配置されるので、直径が異なる第１及び第２の円環形蛍光ランプを備える吊り下げ型照明器具において、無理な設計をする必要がなく容易にバランサを不要化でき、又はバランサを可及的に小さくすることができる。
【発明を実施するための最良の形態】
【００１１】
（第１の実施形態）
以下、本発明の第１の実施形態に係る吊り下げ型照明器具について、図１乃至図７を参照して説明する。第１の実施形態に係る吊り下げ型照明器具１は、図１に示されるように、天井から垂下された１本の電源コード２によって略中心が吊り下げ支持される器具本体３を備える。電源コード２の器具本体３に連結される部分には、コードカバー４が設けられる。
【００１２】
器具本体３は、プレス加工によって中央部５ａが上方へ膨出された平面視が正方形の板金製上板５（図１及び図２参照）と、上板５の下面に固定され上板５との間に後述の点灯回路１１等を収納可能な空間が形成される平面視が円形の板金製下板６（図１及び図２参照）を備える。板金製上板５の縁部５ｂには、種々にデザインされたシェードが引っ掛け固定される（図示省略）。
【００１３】
板金製下板６の下面には、円環形蛍光ランプを懸垂状に支持する支持スプリング７が要所に設けられ、これら支持スプリング７によって直径の大きな２本の円環形蛍光ランプ８（以下、第１の円環形蛍光ランプという）と、直径の小さな２本の円環形蛍光ランプ９（以下、第２の円環形蛍光ランプという）が着脱自在に支持されている。
【００１４】
第１の円環形蛍光ランプ８と第２の円環形蛍光ランプ９は、それぞれ図５及び図６に示されるように、２重の円環形蛍光ランプ８ａ、８ｂ、９ａ、９ｂから構成され、円環の１箇所に共通の口金８ｃ、９ｃを有し、各口金８ｃ、９ｃからは、後述のソケットに挿入される端子ピン（図示省略）が突出される。このように２重の円環形蛍光ランプ８ａ、８ｂ、９ａ、９ｂに対して共通の１個の口金８ｃ、９ｃを有する構成になっている円環形蛍光ランプは、１本ごとに口金を有する円環形蛍光ランプに比べて口金自体の重量がより重くなり器具本体の重量バランスが崩れやすい。
【００１５】
次に、板金製上板５と板金製下板６の間の空間に収納された円環形蛍光ランプの点灯駆動用の点灯回路１１と、円環形蛍光ランプの口金８ｃ、９ｃに装着されるソケット１２ａ、１２ｂについて、図２及び図３を参照して説明する。図２は、円環形蛍光ランプ８、９が取外された器具本体３を下方から見た状態を示し、図３は、さらに板金製下板６が取外された状態を示す。
【００１６】
点灯回路１１は、図３に示されるように、第１の円環形蛍光ランプ８の内周に沿った形状に成形され、板金製上板５の上方へ膨出された中央部５ａ（図３においては窪んで見える）内に挿入されたプリント基板１３と、プリント基板１３上に実装されたトランス１４、スイッチングトランジスタ１５、チョークコイル１６等の電子回路を備える。
【００１７】
プリント基板１３上の電子回路は、第１と第２の円環形蛍光ランプ８、９のそれぞれを駆動する電子回路がエリアを分けて配置されており、器具本体３の中心を挟んで図３における右側のエリアに第１の円環形蛍光ランプ８の点灯駆動用の電子回路群１１ａが配置され、左側のエリアに第２の円環形蛍光ランプ９の点灯駆動用の電子回路群１１ｂが配置されている。
【００１８】
そして、第１の円環形蛍光ランプ８の点灯駆動用の電子回路群１１ａから延びるコード１７の先端に第１の円環形蛍光ランプ８の口金８ｃに装着されるソケット１２ａ（以下、第１のソケットという）が設けられ、第２の円環形蛍光ランプ９の点灯駆動用の電子回路群１１ｂから延びるコード１８の先端に第２の円環形蛍光ランプの口金に装着されるソケット１２ｂ（以下、第２のソケットという）が設けられる。
【００１９】
第１のソケット１２ａは、図２及び図３に示されるように器具本体３の対角位置において板金製下板６の下面に固定され、第２のソケット１２ｂは、第１のソケット１２ａから器具本体３の中心Ｃを中心として４５°ずらせた位置において板金製下板６の下面に固定される。第１のソケット１２ａが器具本体３の対角位置に固定されることによって、第１のソケット１２ａに第１の円環形蛍光ランプ８の口金８ｃが装着されたとき、第１の円環形蛍光ランプ８の口金８ｃの位置も器具本体３の対角位置になる。これによって、光を発しない口金８ｃ部分が器具本体３の対角線上（シェードの角に相当する部分）に位置するので、照度の低い部分が目立たなくなる。
【００２０】
また、第２のソケット１２ｂは、第１のソケット１２ａから器具本体３の中心を中心として４５°ずらせた位置に設けられるので、ユーザが第２のソケット１２ｂに第２の円環形蛍光ランプ９の口金９ｃを装着するとき、直径の小さな第２の円環形蛍光ランプ９を直径の大きな第１の円環形蛍光ランプ８の内側において装着作業を行うことが容易であり、かつ、第１と第２の円環形蛍光ランプ８、９の支持スプリング７の板金製下板６への配置が容易になる。
【００２１】
次に、点灯回路１１から発生する熱を放散させる放熱部材について、図２乃至図４を参照して説明する。この放熱部材は、第１の円環形蛍光ランプ８の点灯駆動用の電子回路群１１ａが配置されたエリアのプリント基板１３の裏面において、プリント基板１３に実装された発熱部品（スイッチングトランジスタ１５等）と板金製上板５の両方に接触するように設けられた直方形のアルミニュウム板２１である。アルミニュウム板２１の斜視図が図７に示される。
【００２２】
アルミニュウム板２１の上面２１ａは、板金製上板６に対して直接密着されている。アルミニュウム板２１の下面２１ｂと各発熱部品（スイッチングトランジスタ１５等）の間には密着性を高くするための伝熱シート２２が介装され、各発熱部品からの熱が効率良くアルミニュウム板２１に伝達し、さらに板金製上板６に伝達して面積の広い板金製上板６の表面から上方の空間へと放散される。
【００２３】
また、アルミニュウム板２１の平面視における重心２１ｇの位置は、図２に示されるように、第１のソケット１２ａと第２のソケット１２ｂを結ぶ線Ｌ１の上の点Ｐと、器具本体３の中心Ｃとを結ぶ線Ｌ２の上になるように配置される。つまり、第１及び第２のソケット１２ａ、１２ｂに第１及び第２の円環形蛍光ランプ８、９の口金１２ａ、１２ｂが装着された状態では、アルミニュウム板２１の平面視における重心２１ｇの位置は、第１の円環形蛍光ランプ８の口金８ｃと第２の円環形蛍光ランプ９の口金９ｃを結ぶ線Ｌ１の上の点Ｐと、器具本体３の中心Ｃとを結ぶ線Ｌ２の上に位置するように配置される。
【００２４】
さらに、アルミニュウム板２１の質量は、器具本体３に第１及び第２の円環形蛍光ランプ８、９が装着され、器具本体３が電源コード２によって吊り支持された状態で照明器具１が重量バランスを保ち、水平を維持する大きさに設定される。具体的には、アルミニュウム板２１の形状（縦横寸法）が種々変更されてアルミニュウム板２１の質量が上記質量に調整される。
【００２５】
なお、放熱部材としてのアルミニュウム板２１は、第１の円環形蛍光ランプ８の点灯駆動用の電子回路群１１ａが配置されたエリアに設けられるので、第２の円環形蛍光ランプ９の点灯駆動用の電子回路のうちの発熱部品（例えば、トランス１４やチョークコイル１６等）は、エリアに関係なく第１の円環形蛍光ランプ８の点灯駆動用の電子回路群１１ａが配置されたエリアに配置される。
【００２６】
以上のように、放熱部材としてのアルミニュウム板２１が、器具本体３の中心Ｃを挟んで第１及び第２のソケット１２ａ、１２ｂ（又は、第１の円環形蛍光ランプ８の口金８ｃ及び第２の円環形蛍光ランプ９の口金９ｃ）の反対側に配置され、照明器具１の重量バランスを補償する質量に設定されるので、バランサが不要である。また、放熱部材は、照明器具１において元々必要な部材であるので、部品点数の増加を引起こすことがない。
【００２７】
ここで、図１５乃至図１７を参照して比較例としての吊り下げ型照明器具１００における放熱部材の配置について説明しておく。図１５は、第１の実施形態における図３と同様に、板金製下板が取外された状態の器具本体１０３を下方から見た状態を示す。従来の吊り下げ型照明器具１００における放熱部材は、２箇所に分けて設けられており、一方の放熱部材１２１ａは、器具本体１０３の中心Ｃを挟んで第１のソケット１１２ａの反対側に配置され、他方の放熱部材１２１ｂは、器具本体１０３の中心Ｃを中心として第２のソケット１１２ｂと約９０°ずらせた位置に配置されている。
【００２８】
放熱部材１２１ａは、図１６に示されるように、プリント基板１１３に実装されたスイッチングトランジスタ１１５等の発熱部品と板金製上板１０５の両方を接続するようにして配置された板金１３１から構成される。
【００２９】
放熱部材１２１ｂは、図１７に示されるように、プリント基板１１３に実装されたスイッチングトランジスタ１１５等の発熱部品と板金製上板１０５の両方を接続するようにして配置された板金１３２と金属ブロック１３３とから構成される。
【００３０】
このように、比較例としての吊り下げ型照明器具１００における放熱部材１２１ａ、１２１ｂは、重量が重い第１及び第２のソケット１１２ａ、１１２ｂに対して重量バランスを補償する位置ではなく、プリント基板１１３上の発熱部品の位置に対応付けて配置されている。また、各放熱部材１２１ａ、１２１ｂの質量は、器具本体１０３の重量バランスを補償するようには考慮されていない。従って、第１及び第２のソケット１１２ａ、１１２ｂや放熱部材１２１ａ、１２１ｂが配置された図１５における右上の領域に対して、器具本体１０３の中心Ｃを挟んで反対側（図１５における左下）に大きな円弧状のバランサ１０１が設けられている。
【００３１】
これに対して第１の実施形態の吊り下げ型照明器具１では、バランサが不要である上に、部品点数は増加していない。また、放熱部材であるアルミニュウム板２１がスイッチングトランジスタ１５等の発熱部品に密着されているので、発熱部品からの放熱が効率良く行われる。
【００３２】
（第２の実施形態）
次に、第２の実施形態に係る吊り下げ型照明器具１について、図８及び図９を参照して説明する。第２の実施形態は、第２の円環形蛍光ランプ９を有さず、円環形蛍光ランプとして第１の円環形蛍光ランプ８（直径の大きな円環形蛍光ランプ８）のみを有する。その他の構成は、第１の実施形態と略同一であるので、同一部分には同一番号を付して説明を省略する（以下、同様）。
【００３３】
第２の実施形態における第１の円環形蛍光ランプ８の口金８ｃは、第１のソケット１２ａに装着されたときに第１の実施形態と同様に器具本体３の対角位置に配置され、放熱部材２１は、器具本体３の中心Ｃを挟んで第１のソケット１２ａ（第１の円環形蛍光ランプ８の口金８ｃ）の反対側に配置される。具体的には、放熱部材２１は、その重心２１ｇが第１の円環形蛍光ランプ８の口金８ｃと器具本体３の中心Ｃとを結ぶ線Ｌ３の上に配置される。
【００３４】
第２の実施形態における放熱部材も、直方形のアルミニュウム板２１であり、照明器具１の重量バランスを補償する質量に設定される。従って、この第２の実施形態においてもバランサが不要である。
【００３５】
（第３の実施形態）
次に、第３の実施形態に係る吊り下げ型照明器具１について、図１０及び図１１を参照して説明する。第３の実施形態は、放熱部材の質量が小さく放熱部材２１のみでは照明器具１の重量バランスが完全には補償されず、放熱部材２１の質量を補うために小さなバランサ３０が設けられている。その他の構成は、第１の実施形態と略同一である。
【００３６】
第３の実施形態は、例えば、点灯回路１１のプリント基板１３と板金製上板５との間隔が狭く、その間隔には、放熱部材として薄いアルミニュウム板２１しか挿入できない等の理由によって、放熱部材の質量が充分には得られない場合である。アルミニュウム板２１の重心位置２１ｇは、第１の実施形態と同様に、第１の円環形蛍光ランプ８の口金８ｃと第２の円環形蛍光ランプ９の口金９ｃを結ぶ線Ｌ１の上の点Ｐと、器具本体３の中心Ｃとを結ぶ線Ｌ２の上になるように配置される。
【００３７】
そして、さらに、器具本体３の中心Ｃに対してアルミニュウム板２１の外周側に円弧状の小さなバランサ３０が設けられる。このバランサ３０の大きさは、図１５に示された比較例の吊り下げ型照明器具１００におけるバランサ１０１の大きさに比べて半分程度に短縮されている。
【００３８】
（第４の実施形態）
次に、第４の実施形態に係る吊り下げ型照明器具１について、図１２及び図１３を参照して説明する。第４の実施形態は、放熱部材の質量が大きく、照明器具１の重量バランスが放熱部材２１側に偏り勝ちな場合に、第１及び第２のソケット１２ａ、１２ｂ側に小さなバランサ４０が設けられている。その他の構成は、第１の実施形態と略同一である。
【００３９】
第４の実施形態は、例えば、点灯回路１１のプリント基板１３と板金製上板５との間隔が広く、その間隔を充填して熱伝達が行われるようにするために、放熱部材として厚いアルミニュウム板２１を挿入しなければならない等の理由によって、放熱部材の質量が過剰に大きい場合である。アルミニュウム板２１の重心位置２１ｇは、第１の実施形態と同様に、第１の円環形蛍光ランプ８の口金８ｃと第２の円環形蛍光ランプ９の口金９ｃを結ぶ線Ｌ１の上の点Ｐと、器具本体３の中心Ｃとを結ぶ線Ｌ２の上になるように配置される。
【００４０】
そして、器具本体３の中心Ｃに対してアルミニュウム板２１の反対側に円弧状の小さなバランサ４０が設けられる。このバランサ４０の大きさも、図１５に示された比較例の吊り下げ型照明器具１００におけるバランサ１０１の大きさに比べて半分程度に短縮されている。
【００４１】
第４の実施形態において、器具本体３が円形に形成される場合の変形例が図１４に示される。この変形例では、板金製上板５が円形に形成されている。
【００４２】
以上のように、本発明に係る吊り下げ型照明器具においては、点灯回路１１から発生する熱を放散させる放熱部材２１が、器具本体３の中心を挟んでソケット１２ａ、１２ｂが設けられた位置の反対側に配置されると共に、照明器具１の重量バランスを補償する質量を有するので、容易にバランサを不要化することができ、又はバランサ３０、４０を可及的に小さくすることができる。
【００４３】
なお、放熱部材は、アルミニュウム板２１以外にも、例えば鉄板等の伝熱性に優れ、加工が容易な材質であれば、種々変更が可能である。また、円環形蛍光ランプ８、９は、円環形の蛍光管を２重に備えるものではなく、それぞれ１本の円環形蛍光ランプから構成されるものであってもよい。
【図面の簡単な説明】
【００４４】
【図１】本発明の第１の実施形態に係る吊り下げ型照明器具における第１及び第２の円環形蛍光ランプが取外された状態の側断面図。
【図２】同吊り下げ型照明器具における第１及び第２の円環形蛍光ランプが取外された状態の下方から見た平面図。
【図３】同吊り下げ型照明器具におけるさらに板金製下板が取外された状態の下方から見た平面図。
【図４】同吊り下げ型照明器具における点灯回路と放熱部材の構造を示す側断面図。
【図５】同吊り下げ型照明器具における第１の円環形蛍光ランプの平面図。
【図６】同吊り下げ型照明器具における第２の円環形蛍光ランプの平面図。
【図７】同吊り下げ型照明器具におけるアルミニュウム板を示す斜視図。
【図８】本発明の第２の実施形態に係る吊り下げ型照明器具における第１の円環形蛍光ランプが取外された状態の下方から見た平面図。
【図９】同吊り下げ型照明器具における第１の円環形蛍光ランプが取外された状態の側断面図。
【図１０】本発明の第３の実施形態に係る吊り下げ型照明器具における第１及び第２の円環形蛍光ランプが取外された状態の下方から見た平面図。
【図１１】同吊り下げ型照明器具における第１及び第２の円環形蛍光ランプが取外された状態の側断面図。
【図１２】本発明の第４の実施形態に係る吊り下げ型照明器具における第１及び第２の円環形蛍光ランプが取外された状態の下方から見た平面図。
【図１３】同吊り下げ型照明器具における第１及び第２の円環形蛍光ランプが取外された状態の側断面図。
【図１４】同吊り下げ型照明器具における器具本体が円形に形成された変形例を示す下方から見た平面図。
【図１５】比較例としての吊り下げ型照明器具における第１及び第２の円環形蛍光ランプと板金製下板が取外された状態の下方から見た平面図。
【図１６】同吊り下げ型照明器具における一方の放熱部材の構造を示す側断面図。
【図１７】同吊り下げ型照明器具における他方の放熱部材の構造を示す側断面図。
【符号の説明】
【００４５】
１  吊り下げ型照明器具
２  コード
３  器具本体
８  第１の円環形蛍光ランプ
８ｃ  口金
９  第２の円環形蛍光ランプ
９ｃ  口金
１１  点灯回路
１２ａ  第１のソケット（ソケット）
１２ｂ  第２のソケット（ソケット）
２１  アルミニュウム板（放熱部材）
２１ｇ  重心
Ｃ  器具本体の中心
Ｌ１  第１及び第２の円環形蛍光ランプの口金を結ぶ線
Ｌ２  線Ｌ１上の点と器具本体の中心を結ぶ線
Ｐ  線Ｌ１上の点
【図１】
2007287469.tif 000003
【図２】
2007287469.tif 000004
【図３】
2007287469.tif 000005
【図４】
2007287469.tif 000006
【図５】
2007287469.tif 000007
【図６】
2007287469.tif 000008
【図７】
2007287469.tif 000009
【図８】
2007287469.tif 000010
【図９】
2007287469.tif 000011
【図１０】
2007287469.tif 000012
【図１１】
2007287469.tif 000013
【図１２】
2007287469.tif 000014
【図１３】
2007287469.tif 000015
【図１４】
2007287469.tif 000016
【図１５】
2007287469.tif 000017
【図１６】
2007287469.tif 000018
【図１７】
2007287469.tif 000019